(57)【要約】      （修正有）【課題】携帯電話機用保護カバーに設置されたデータ伝送プラグ及びＰＣＢボードがスマートフォンより供給されるデータ並びに電力により、ＬＥＤライトを点灯させる携帯電話機保護カバーを提供する。【解決手段】携帯電話機保護カバー１において、データ伝送プラグ１０１、コントローラチップ及びＬＥＤライトを同一のＰＣＢボードに設置し、データ伝送プラグとコントローラチップ、コントローラチップとＬＥＤライトを電気的に接続する。ＬＥＤライトに依って状態の遷移を使用者に明確にし、尚且つＬＥＤライトの点滅により使用者に着信を知らせる事ができる。またＬＥＤライトにより装飾性を向上させる事を可能としている。【選択図】図１
0003179842.tif 000002
【実用新案登録請求の範囲】
【請求項１】
カバーの本体部を含み、
前記本体部にデータ伝送プラグ及びＰＣＢボードが設置され、
前記ＰＣＢボードにコントローラチップとＬＥＤライトとが設置され、
前記データ伝送プラグと前記コントローラチップとが電気的に接続されると共に前記コントローラチップと前記ＬＥＤライトとが電気的に接続されてなることを特徴とする携帯電話機用保護カバー。
【請求項２】
前記ＬＥＤライトは単色ＬＥＤであることを特徴とする請求項１に記載の携帯電話機用保護カバー。
【請求項３】
前記ＬＥＤライトは三原色（赤、緑、青）のＬＥＤライトの一組以上を含むことを特徴とする請求項１に記載の携帯電話機用保護カバー。
【請求項４】
前記カバー本体部に反射シートが設けられ、前記反射シートに導光板が設けられ、前記導光板に面板が設けられていることを特徴とする請求項１ないし３いずれか１項に記載の携帯電話機用保護カバー。
【請求項５】
前記反射シート及び導光板に、前記ＰＣＢボードに対応する開口部が設けられていることを特徴とする請求項１ないし４のいずれか１項に記載の携帯電話機用保護カバー。
【請求項６】
前記コントローラチップとアースコード間にコンデンサを有することを特徴とする請求項１ないし５いずれか１項に記載の携帯電話機用保護カバー。
【請求項７】
前記コントローラチップとアースコード間に電気抵抗を有することを特徴とする請求項１ないし６のいずれか１項に記載の携帯電話機用保護カバー。
【請求項８】
前記ＬＥＤライトとアースコード間に電気抵抗を有することを特徴とする請求項１ないし７のいずれか１項に記載の携帯電話機用保護カバー。
【請求項９】
前記コントローラチップがトランジスターによってＬＥＤライトと接続される請求項１ないし８のいずれか１項に記載の携帯電話機用保護カバー。
【考案の詳細な説明】
【技術分野】
【０００１】
本考案は携帯電話周辺機器、特に携帯電話機用保護カバーに関する。
【背景技術】
【０００２】
携帯電話は社会において不可欠な通信手段となってきている。その事業拡大に伴い、多くの周辺機器が生まれてきている。中でも携帯電話機用保護カバーは、近年徐々に多くの消費者に受け入れられて来ている。
【考案の概要】
【考案が解決しようとする課題】
【０００３】
しかしながら、現存の保護カバーは正に保護を目的としており、時代に合わせた消費者の多種多様な需要に追いついていないのが現状である。本考案は、前記事情に鑑み、新型の携帯電話機用保護カバーを提供することを目的とする。
【課題を解決するための手段】
【０００４】
前記目的を達成するため、請求項１に示す本考案にかかる携帯電話機用保護カバーは、
カバーの本体部を含み、
前記本体部にデータ伝送プラグ及びＰＣＢボードが設置され、
前記ＰＣＢボードにコントローラチップとＬＥＤライトとが設置され、
前記データ伝送プラグと前記コントローラチップとが電気的に接続されると共に前記コントローラチップと前記ＬＥＤライトとが電気的に接続されてなることを特徴とする。
【０００５】
データ伝送プラグを携帯電話に備え付けられているデータ出力接続口に差し込み後、コントローラチップの起動が行われる。携帯電話使用時、及び着信時に、コントローラチップはＬＥＤライトに対し、周期性の点灯を実行させる。次に待受の状態時、コントローラチップはＬＥＤに対し、点滅の停止を実行させる。このため、本携帯電話機用保護カバーは保護の役割を果たすと共に、携帯電話使用時、着信の状態変化を使用者にＬＥＤにより提示する効果を奏する。同時にＬＥＤライトの効果により携帯電話に対する装飾性を向上させ、携帯電話機用保護カバーの機能の多様化を実現している。
【０００６】
ある考案では、一定の時間で赤、青、黄、緑、水、紫、白の７色に循環する単色ＬＥＤが使用されている。また一定の時間をかけ点灯を行う。
【０００７】
ある実施例では、赤、緑、青の３原色のＬＥＤライトが使用されている。この３色の組み合わせにより、点灯後、自動的に一点の時間により変色が行われ、赤、青、黄、緑、水、紫、白の７色を発光する事が可能となっている。この為、携帯電話機用保護カバーは一定の時間をかけて赤、青、黄、緑、水、紫、白の７色を点灯、循環する。
【０００８】
ある実施例では携帯電話機用保護カバー本体部の上に反射シートを敷き、その上に導光板を設置している。また導光板上に面板を設置している。これらの組み合わせにより、携帯電話機用保護カバー内のＬＥＤライトの点灯をより効果的なものにしている。
【０００９】
ある実施例では反射シート、導光板は共にＰＣＢボードに相応する開口部を持つ。これにより携帯電話機用保護カバーへの組み込みを簡易にする。
【００１０】
ある実施例ではコントローラチップとアースコード間にコンデンサを設置する。
【００１１】
ある実施例ではコントローラチップとアースコード間に電気抵抗を設置する。
【００１２】
ある実施例ではＬＥＤライトとアースコード間に電気抵抗を設置する。
【００１３】
ある実施例ではＬＥＤライトとアースコード間に電気抵抗を設置する。
【００１４】
ある実施例ではコントローラチップがトランジスターを以ってＬＥＤライトと接続する。
【００１５】
本考案の携帯電話のカバーを使用するには、携帯電話機用保護カバーのデータ伝送プラグを携帯電話のデータ伝送プラグに接続するだけでよい。
【図面の簡単な説明】
【００１６】
【図１】本考案の携帯電話機用保護カバーの実施例１を示す斜視図である。
【図２】図１の携帯電話機用保護カバー本体部の構造図である。
【図３】図１の携帯電話機用保護カバーのＰＣＢボード回路図である。
【図４】本考案の携帯電話機用保護カバーの実施例２におけるＰＣＢボード回路図である。
【考案を実施するための形態】
【００１７】
以下に、考案の実施例を図面に基づいて説明する。
【００１８】（実施例１）  図１ないし図３は本考案の実施例に基づく携帯電話機用保護カバーを表している。以下文はApple Inc.製品（公序良俗違反につき、不掲載）の保護カバーを例とする。
【００１９】
当携帯電話機用保護カバーは保護カバー本体部を含む。保護カバー本体部１は長方形に展開しており、３０ピンのデータ伝送プラグ１０１及びＰＣＢボード１０６が設置されている。またＰＣＢボード１０６には▲東▼莞市▲シン▼都▲塑▼▲膠▼制品有限公司提供のAT89S52のコントローラチップ１０２、並列接続された青色ＬＥＤライト１０３が設置されている。
【００２０】
データ伝送プラグ１０１とコントローラチップ１０２に対し電気的接続を行い、コントローラチップ１０２とＬＥＤライト１０３に対し電気的接続を行う。保護カバー本体部１上に反射シート１０７を敷き、その上部に導光板１０８を配置し、さらに上部に面板１０９を配置する。反射シート１０７、導光板１０８にはＰＣＢボード１０６に対応した開口部が設けられている。反射シート１０７、導光板１０８、面板１０９は図２が示すように順次に組み合わせられ、超音波によって溶着を行う。
【００２１】
図３に示すように、コントローラチップ１０２上の電源ピンとアースコード間に、コンデンサＣ１とＣ２を並列接続し、ノイズを除去する効果を促している。コントローラチップ１０２の信号出力ピンとＬＥＤライト１０３間にトランジスターＱ１が結線されている。コントローラチップ１０２がトランジスターＱ１に対し高電出力を行う際、トランジスターＱ１は導通状態に置かれる。その結果としてＬＥＤライト１０３は閉回路に置かれ、ＬＥＤライト１０３は発光可能となる。コントローラチップ１０２がトランジスターＱ１に対し低電出力を行う際、トランジスターＱ１は非導通状態に置かれる。その結果としてＬＥＤライト１０３は開かれた回路に置かれ、ＬＥＤライト１０３は消える。上記の原理によってトランジスターＱ１はＬＥＤライトのスイッチとなる。ＬＥＤライト１０３とアースコード間に電気抵抗Ｒ１を設置し、電流を制限させ、ＬＥＤライトのショートを防ぐ。またコントローラチップ１０２の信号出力ピンとアースコード間に電気抵抗Ｒ２、Ｒ３を設置し電流を制限させ、回路のショートを防ぐ。
【００２２】  データ伝送プラグ１０１を（公序良俗違反につき、不掲載）の対応の３０ピンのデータ伝送プラグ端子に接続後、（公序良俗違反につき、不掲載）はコントローラチップ１０２と連結され、同時にコントローラチップ１０２を起動させる。（公序良俗違反につき、不掲載）使用時及び着信時には、コントローラチップ１０２はＬＥＤライト１０３に対し周期性を持ち、段階的に高電出力を行い（本実施例では電流値を２ｓとする）、ＬＥＤライト１０３より段階的に青色を発光させる。（公序良俗違反につき、不掲載）待機状態時には、コントローラチップ１０２はトランジスターＱ１に対し低電出力を行い、ＬＥＤライト１０３を消灯させる。これに対し反射シート１０７、導光板１０８、面板１０９はＬＥＤライト１０３の効果を増幅させ、（公序良俗違反につき、不掲載）に対する装飾性を向上させ、（公序良俗違反につき、不掲載）保護カバーの機能の多様化を実現している。
【００２３】
本考案の携帯電話機用保護カバーの使用方法は、データ通信ピン１０１を携帯電話の対応するデータ通信端子に接続するだけでよく、非常に簡便である。
【００２４】
（実施例２）
図４は本考案を使用した携帯電話機用保護カバー例２を示す。
【００２５】
本実施例と実施例１との相違：
ＰＣＢボード１０６上に並列されたＬＥＤライト群１１０を持つことである。各ＬＥＤライト群１１０は全て赤青緑の３原色によって構成されている。図４に示す様に、コントローラチップ１０２の電源ピンとアースコード間には並列されたコンデンサＣ１及びＣ２が設けられており、ノイズを防ぐ効果を持つ。ＬＥＤライト群１１０とアースコード間には電気抵抗が設けられており、電流の制限をし、ＬＥＤライトのショートを防ぐ。全てのＬＥＤライト群１１０の青色ＬＥＤ、赤色ＬＥＤ、緑色ＬＥＤはそれぞれコントローラチップ１０２の３個の信号出力ピンと対応し連接されている。前記の信号出力ピンの出力レベルを通し、ＬＥＤライト群１１０は赤、青、黄、緑、水、紫、白色の発光制御を可能としている。例を挙げると、青色ＬＥＤに対し低電出力を行い、その他に対し高電出力を行った場合、ＬＥＤライト群１１０は青色を発光させる。赤色ＬＥＤに対し低電出力を行い、その他に対し高電出力を行った場合、ＬＥＤライト群１１０は赤色を発光させる。緑色ＬＥＤに対し低電出力を行い、その他に対し高電出力を行った場合、ＬＥＤライト群１１０は緑色を発光させる。青色ＬＥＤ、赤色ＬＥＤに対してのみ低電出力を行い、緑色ＬＥＤに対し高電出力を行った場合、ＬＥＤライト群１１０は紫色を発光させる。青色ＬＥＤ、緑色ＬＥＤに対してのみ低電出力を行い、赤色ＬＥＤに対し高電出力を行った場合、ＬＥＤライト群１１０は水色を発光させる。赤色ＬＥＤ、緑色ＬＥＤに対してのみ低電出力を行い、青色ＬＥＤに対し高電出力を行った場合、ＬＥＤライト群１１０は黄色を発光させ、同時に青色ＬＥＤ、緑色ＬＥＤに対して低電出力を行う場合、ＬＥＤライト群１１０は白色を発光させる。
【００２６】
このため、コントローラチップ１０２がＬＥＤライト群１１０に対し周期的かつ段階的な電気出力を行う事によって、ＬＥＤライト群１１０は設定された一定の時間を以って徐々に色を変える事を可能としている。（本実施例での電力値は１sとしている）同時に循環性を持ち、赤、青、黄、緑、水、紫、白と順番に発光させ、携帯電話機用保護カバーは７色の彩りを持つ事を実現した。その他は実施例１と同様で携帯電話機保護の功能以外に、使用時、着信時を使用者に知らせ、携帯電話機用保護カバーの装飾性を向上させ、携帯電話機用保護カバーの機能の多様化を実現している。この実施例の使用方法は実施例１と同様である。
【００２７】
さらに、その他実施例中、ＬＥＤライト１０３はＬＥＤライト両端の電圧を変化させることにより、多色を表現する事を可能としている。保護カバー本体部１の面板１０９上には各種の模様や図案を設置、印刷する事が可能である。これにより、本携帯電話機用保護カバーの機能の多様化を拡大させることができる。
【図１】
0003179842.tif 000003
【図２】
0003179842.tif 000004
【図３】
0003179842.tif 000005
【図４】
0003179842.tif 000006
【手続補正書】
【提出日】平成24年9月18日(2012.9.18)
【手続補正１】
【補正対象書類名】実用新案登録請求の範囲
【補正対象項目名】請求項５
【補正方法】変更
【補正の内容】
【請求項５】
前記反射シート及び導光板に、前記ＰＣＢボードに対応する開口部が設けられていることを特徴とする請求項４に記載の携帯電話機用保護カバー。
【手続補正２】
【補正対象書類名】明細書
【補正対象項目名】００１８
【補正方法】変更
【補正の内容】
【００１８】
（実施例１）
図１ないし図３は本考案の実施例に基づく携帯電話機用保護カバーを表している。以下文はApple Inc.製品の多機能携帯電話機の保護カバーを例とする。
【手続補正３】
【補正対象書類名】明細書
【補正対象項目名】００２２
【補正方法】変更
【補正の内容】
【００２２】
データ伝送プラグ１０１を多機能携帯電話機の対応の３０ピンのデータ伝送プラグ端子に接続後、多機能携帯電話機はコントローラチップ１０２と連結され、同時にコントローラチップ１０２を起動させる。多機能携帯電話機使用時及び着信時には、コントローラチップ１０２はＬＥＤライト１０３に対し周期性を持ち、段階的に高電出力を行い（本実施例では電流値を２ｓとする）、ＬＥＤライト１０３より段階的に青色を発光させる。多機能携帯電話機の待機状態時には、コントローラチップ１０２はトランジスターＱ１に対し低電出力を行い、ＬＥＤライト１０３を消灯させる。これに対し反射シート１０７、導光板１０８、面板１０９はＬＥＤライト１０３の効果を増幅させ、多機能携帯電話機に対する装飾性を向上させ、多機能携帯電話機の保護カバーの機能の多様化を実現している。